【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
基材と、
前記基材の上に配置された、平均厚さを有し、接触相に非混和性である液体と、
前記液体の中に配置された、約５μｍと約４０μｍとの間の平均寸法を有する第１の複数の粒子と、
前記液体の中に配置された、約２０μｍよりも大きく、前記液体の平均厚さよりも大きい平均寸法を有し、前記第１の複数の粒子とは異なる第２の複数の粒子と、
を含む物品。
【請求項２】
前記液体の平均厚さが約５μｍと約８０μｍとの間である、請求項１に記載の物品。
【請求項３】
前記液体が、前記物品の使用中に液体のままである、請求項１に記載の物品。
【請求項４】
前記液体が、シリコーン油、フッ素化炭化水素、フッ素化ペルフルオロポリエーテル、炭化水素液体、植物油、植物油誘導体、トリグリセリド、脂肪酸、エステル、及びＦＤＡに認可された液体食品添加物のうちの少なくとも１つを含む、請求項１に記載の物品。
【請求項５】
前記接触相が、降伏応力流体、非ニュートン流体、ビンガム塑性体、及びチキソトロピー流体のうちの少なくとも１つである、請求項１に記載の物品。
【請求項６】
前記接触相が、練り歯磨き、マウスクリーム、義歯固定化合物、日焼け止め、制汗剤、抗菌性洗浄剤、ローション、香辛料、シャンプー、コンディショナー、保湿剤、洗顔料、毛髪ゲル、医療用流体、抗菌性軟膏、抗菌性クリーム、洗濯洗剤、ペンキ、コーキング材、シーラント、接着剤、農薬、油、膠、ワックス、石油製品、繊維柔軟剤、工業溶液、ケチャップ（ketchup）、ケチャップ（catsup）、マスタード、マヨネーズ、シロップ、ハチミツ、ゼリー、ピーナツバター、バター、チョコレートシロップ、ショートニング、マーガリン、オレオ、グリース、ディップ、ヨーグルト、サワークリーム、化粧品、及びこれらの組み合わせのうちの少なくとも１つである、請求項５に記載の物品。
【請求項７】
前記第１の複数の粒子が、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン酸のトリアルキルエステル、グリセロールジエステル、グリセロールトリエステル、ミリスチン酸のエステル、アジペート、セバケート、及びこれらの組み合わせのうちの少なくとも１つを含む、請求項１に記載の物品。
【請求項８】
前記第１の複数の粒子が疎水性である、請求項１に記載の物品。
【請求項９】
前記第２の複数の粒子が親水性である、請求項８に記載の物品。
【請求項１０】
前記第１の複数の粒子が、約０．５μｍと約４０μｍとの間の平均寸法を有する、請求項１に記載の物品。
【請求項１１】
前記第２の複数の粒子が、約３０μｍと約８０μｍとの間の平均寸法を有する、請求項１に記載の物品。
【請求項１２】
前記第２の複数の粒子が、水素結合及び物理的架橋の少なくとも１つの形成による架橋を可能にする材料を含む、請求項１に記載の物品。
【請求項１３】
前記第２の複数の粒子が、前記第２の複数の粒子と前記接触相の表面との間の架橋を可能にする、請求項１２に記載の物品。
【請求項１４】
前記第２の複数の粒子が、多糖、熱可塑性エラストマー、架橋ポリアクリル酸、ワックス状固体、及びこれらの組み合わせのうちの少なくとも１つを含む、請求項１に記載の物品。
【請求項１５】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項１３に記載の物品。
【請求項１６】
第３の複数の粒子であって、前記第１の複数の粒子及び前記第２の複数の粒子とは異なる第３の複数の粒子
をさらに含む、請求項１に記載の物品。
【請求項１７】
前記第３の複数の粒子が、約２０ｎｍと約１０μｍとの間の平均寸法を有する、請求項１６に記載の物品。
【請求項１８】
前記第３の複数の粒子が、約３μｍ未満の平均寸法を有する、請求項１７に記載の物品。
【請求項１９】
前記第３の複数の粒子が、不溶性繊維、精製木材セルロース、微結晶性セルロース、オートブラン繊維、ワックス、カルナバワックス、木ろう、蜜ろう、キャンデリラワックス、フラクト−オリゴ糖、金属酸化物、モンタンワックス、褐炭及び泥炭、オゾケライト、セレシン、ビチューメン、ペトロラタム、パラフィン、微結晶性ワックス、ラノリン、金属又はアルカリのエステル、ココナッツの粉、アーモンド、ジャガイモ、小麦、パルプ、ゼイン、デキストリン、セルロースエーテル、ヒドロキシエチルセルロース、ヒドロキシプロピルセルロース（ＨＰＣ）、ヒドロキシエチルメチルセルロース、ヒドロキシプロピルメチルセルロース（ＨＰＭＣ）、エチルヒドロキシエチルセルロース、酸化第二鉄、酸化第一鉄、シリカ、疎水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、ポリスチレン、ナイロン、ポリプロピレン、ワックス、ポリエチレンテレフタレート、ポリプロピレン、ポリエチレン、ポリウレタン、ポリスルホン、ポリエーテルスルホン、ポリテトラフルオロエチレン（ＰＴＦＥ）、テトラフルオロエチレン（ＴＦＥ）、フッ素化エチレンプロピレンコポリマー（ＦＥＰ）、ポリフッ化ビニリデン（ＰＶＤＦ）、ペルフルオロアルコキシテトラフルオロエチレンコポリマー（ＰＦＡ）、ペルフルオロメチルビニルエーテルコポリマー（ＭＦＡ）、エチレンクロロトリフルオロエチレンコポリマー（ＥＣＴＦＥ）、エチレン−テトラフルオロエチレンコポリマー（ＥＴＦＥ）、ペルフルオロポリエーテル（ＰＦＰＥ）、ポリクロロテトラフルオロエチレン（ＰＣＴＦＥ）、ポリビニルアルコール（ＰＶＡ）、ポリエチレングリコール（ＰＥＧ）、テクノフロンセルロースアセタート、ポリ（アクリル酸）、ポリ（プロピレンオキシド）、Ｄ−ソルビトール、ポリカーボネート、スチレンブロックコポリマー、ポリスチレン−ｂ−ポリ（エチレン／プロピレン）、ポリスチレン−ｂ−ポリ（エチレン／プロピレン）−ｂ−ポリスチレン、ポリスチレン−ｂ−ポリ（エチレン／ブチレン）−ｂ−ポリスチレン、ポリスチレン−ｂ−ポリ（エチレン−エチレン／プロピレン）−ｂ−ポリスチレン、スチレン−イソプレン−スチレン、ポリオレフィン系熱可塑性エラストマー、エチレン−プロピレンランダムコポリマー（ＥＰＭ）、水素化ポリブタジエン−イソプレン−ブタジエンブロックコポリマー、ポリアミド系熱可塑性エラストマー、ポリエステルアミド（ＰＥＡ）、ポリエーテルエステルアミド（ＰＥＥＡ）、ポリカーボネートエステルアミド（ＰＣＥＡ）、ポリエーテル−ブロック−アミド（ＰＥ−ｂ−Ａ）、ポリアクリレート系熱可塑性エラストマー、ポリ（ＭＭＡ−ｂ−ｔＢＡ−ＭＭＡ）、ポリ（ＭＭＡ−ｂ−アルキルアクリレート−ＭＭＡ）、鉱油、パラフィン油、Ｃ１３〜Ｃ１４イソパラフィン、Ｃ１６〜Ｃ１８イソパラフィン、ジグリセリドエステル、トリグリセリドエステル、クエン酸のトリアルキルエステル、グリセロールジエステル、グリセロールトリエステル、ミリスチン酸のエステル、アジペート、セバケート、及びこれらの組み合わせのうちの少なくとも１つを含む、請求項１８に記載の物品。
【請求項２０】
前記第３の複数の粒子が、前記液体のレオロジーを変更するように構成される、請求項１９に記載の物品。
【請求項２１】
前記第３の複数の粒子が、前記液体の粘度を増大させるように構成される、請求項２０に記載の物品。
【請求項２２】
前記第２の複数の粒子が、前記物品の使用中に前記接触相に移動するように構成される、請求項１に記載の物品。
【請求項２３】
前記第２の複数の粒子が、前記接触相の降伏応力を増大させるように構成される、請求項２２に記載の物品。
【請求項２４】
前記第２の複数の粒子が、前記接触相の粘度を増大させるように構成される、請求項２２に記載の物品。
【請求項２５】
基材と、
前記基材の上に配置された液体であって、接触相に非混和性である液体と、
前記液体の中に配置された約１ｗｔ％〜約２０ｗｔ％の第１の複数の粒子と、
前記液体の中に配置された約１ｗｔ％〜約５０ｗｔ％の第２の複数の粒子であって、前記物品の使用中に前記接触相に移動するように構成され、前記第１の複数の粒子とは異なる第２の複数の粒子と
を含む物品。
【請求項２６】
前記第２の複数の粒子が、前記接触相の降伏応力を増大させるように構成される、請求項２５に記載の物品。
【請求項２７】
前記基材の上に配置された液体が平均厚さを有し、前記第１の複数の粒子の平均寸法が前記液体の平均厚さの１．５倍よりも小さい、請求項２５に記載の物品。
【請求項２８】
前記液体の平均厚さが約５μｍと約８０μｍとの間である、請求項２７に記載の物品。
【請求項２９】
前記液体の平均厚さが約１０μｍと約５０μｍとの間である、請求項２８に記載の物品。
【請求項３０】
前記第２の複数の粒子が親水性である、請求項２５に記載の物品。
【請求項３１】
前記第１の複数の粒子が疎水性である、請求項３０に記載の物品。
【請求項３２】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項２５に記載の物品。
【請求項３３】
前記液体の中に配置された約０．１ｗｔ％〜約５０ｗｔ％の第３の複数の粒子であって、前記液体のレオロジーを変更するように構成された第３の複数の粒子
をさらに含む、請求項２５に記載の物品。
【請求項３４】
前記第３の複数の粒子の約１ｗｔ％〜約２０ｗｔ％が前記液体の中に配置される、請求項３３に記載の物品。
【請求項３５】
前記第３の複数の粒子が、粘土鉱物、ベントナイト、パリゴルスカイト、カオリナイト、シリカ、親水性シリカ、ヒュームドシリカ、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項３３に記載の物品。
【請求項３６】
前記基材が、平坦表面、起伏表面、内側表面、凸凹表面、円滑表面、規則的な周期パターンを有する表面を有する表面、ランダムな形状及び輪郭を有する表面、又はこれらの組み合わせのうちの少なくとも１つを含む、請求項２５に記載の物品。
【請求項３７】
前記基材が、チューブ、ボトル、バイアル、フラスコ、モールド、ジャー、タブ、カップ、キャップ、グラス、ピッチャー、バレル、ビン、トート、タンク、ケグ、タブ、シリンジ、缶、ポーチ、裏張りされた箱、ホース、シリンダー、カン、ホース、パイプ、導管、ノズル、注射針、分注チップ、フタ、ポンプ、及びこれらの組み合わせのうちの少なくとも１つの表面である、請求項２５に記載の物品。
【請求項３８】
基材と、
液体、第１の複数の粒子、及び第２の複数の粒子を含む潤滑性表面であって、前記基材の上に配置され、且つ接触相と接触して置かれるように構成された潤滑性表面と
を含む物品であって、
前記潤滑性表面が、前記接触相と接触する前の第１の形態と、前記接触相と接触した後の期間の第２の形態とを有し、
前記第２の形態において、前記第２の複数の粒子の少なくとも一部が前記接触相に移動する、物品。
【請求項３９】
前記潤滑性表面が、前記第１の形態における第１の潤滑性と、前記第２の形態における第２の潤滑性とを有し、前記第２の潤滑性が前記第１の潤滑性よりも大きい、請求項３８に記載の物品。
【請求項４０】
前記第２の複数の粒子が、前記接触相のレオロジーを変更するように構成される、請求項３８に記載の物品。
【請求項４１】
前記第２の複数の粒子が、前記接触相の粘度を増大させるように構成される、請求項４０に記載の物品。
【請求項４２】
前記液体が前記基材の上の平均厚さを有し、前記第２の複数の粒子の平均寸法が前記液体のおよその平均厚さよりも大きい、請求項３８に記載の物品。
【請求項４３】
前記液体が前記基材の上の平均厚さを有し、前記第１の複数の粒子の平均寸法が前記液体の平均厚さの約１．５倍よりも小さい、請求項３８に記載の物品。
【請求項４４】
前記液体の平均厚さが約５μｍと約８０μｍとの間である、請求項４３に記載の物品。
【請求項４５】
前記液体の平均厚さが約１０μｍと約５０μｍとの間である、請求項４４に記載の物品。
【請求項４６】
前記第１の複数の粒子が疎水性である、請求項３８に記載の物品。
【請求項４７】
前記第２の複数の粒子が親水性である、請求項４６に記載の物品。
【請求項４８】
前記第１の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項３８に記載の物品。
【請求項４９】
前記潤滑性表面が前記液体の中に配置された第３の複数の粒子をさらに含み、前記第３の複数の粒子が、前記液体のレオロジーを変更するように構成される、請求項３８に記載の物品。
【請求項５０】
前記第３の複数の粒子の約１ｗｔ％〜約５０ｗｔ％が前記液体の中に配置される、請求項４９に記載の物品。
【請求項５１】
前記第３の複数の粒子が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項４９に記載の物品。
【請求項５２】
前記期間が約１週間未満である、請求項３８に記載の物品。
【請求項５３】
前記期間が約１日未満である、請求項５２に記載の物品。
【請求項５４】
前記期間が約１時間未満である、請求項５３に記載の物品。
【請求項５５】
前記第２の複数の粒子の実質的に全てが約９０分後に前記接触相に移動する、請求項３８に記載の物品。
【請求項５６】
前記液体が前記接触相に非混和性である、請求項３８に記載の物品。
【請求項５７】
前記液体が前記基材の上の平均厚さを有し、前記第１の複数の粒子の平均寸法が前記液体の平均厚さの約１．５倍よりも小さい、請求項３８に記載の物品。
【請求項５８】
前記液体の平均厚さが約５μｍと約８０μｍとの間である、請求項５７に記載の物品。
【請求項５９】
前記液体の平均厚さが約１０μｍと約５０μｍとの間である、請求項５８に記載の物品。
【請求項６０】
前記液体が、前記物品の使用中に液体のままである、請求項３８に記載の物品。
【請求項６１】
前記液体が、前記物品の１か月を超える使用の間、液体のままである、請求項６０に記載の物品。
【請求項６２】
前記液体が、前記物品の１年を超える使用の間、液体のままである、請求項６１に記載の物品。
【請求項６３】
前記液体が、前記物品の３年を超える使用の間、液体のままである、請求項６２に記載の物品。
【請求項６４】
基材と、
前記基材の上に配置された液体であって、接触相に非混和性である液体と、
少なくとも部分的に前記液体の中に配置された界面修飾剤であって、前記液体と前記接触相との間に境界領域を作り出し、前記境界領域が前記液体及び前記接触相とは異なる特性を有する、界面修飾剤と
を含む物品。
【請求項６５】
複数の領域をそれらの間に画定する複数の固体特徴物と、前記複数の領域内に配置された液体と
をさらに含み、前記複数の固体特徴物が平衡状態で前記複数の領域内に前記液体を含有する、請求項６４に記載の物品。
【請求項６６】
前記複数の固体特徴物よりも上に配置された、前記液体の可動性の過剰層
をさらに含む、請求項６５に記載の物品。
【請求項６７】
前記複数の固体特徴物が前記基材に結合される、請求項６５に記載の物品。
【請求項６８】
前記複数の固体特徴物が前記基材内に形成される、請求項６５に記載の物品。
【請求項６９】
前記液体が、前記液体のレオロジーを変更する添加剤を含む、請求項６４に記載の物品。
【請求項７０】
前記添加剤が粒子を含む、請求項６９に記載の物品。
【請求項７１】
前記境界領域が前記接触相よりも高い降伏応力を有する、請求項６４に記載の物品。
【請求項７２】
前記界面修飾剤の分配係数が約１未満である、請求項６４に記載の物品。
【請求項７３】
前記分配係数が約０．１未満である、請求項７２に記載の物品。
【請求項７４】
基材と、
前記基材の上に配置された、接触相に非混和性である液体と、
前記液体の中に配置された、約５μｍと約４０μｍとの間の平均寸法を有する第１の複数の粒子と、
前記液体の中に配置された、約２０μｍよりも大きい平均寸法を有し、前記第１の複数の粒子とは異なる第２の複数の粒子と、
前記液体のレオロジーを変更するように構成される第３の複数の粒子であって、前記第１の複数の粒子及び前記第２の複数の粒子とは異なる第３の複数の粒子と、
を含む物品。
【請求項７５】
前記第３の複数の粒子が、約３μｍ未満の平均寸法を有する、請求項７４に記載の物品。
【請求項７６】
基材と、
前記基材の上に配置された、接触相に非混和性である液体と、
前記液体の中に配置された、約５μｍと約４０μｍとの間の平均寸法を有する第１の複数の粒子と、
前記液体の中に配置された、約２０μｍよりも大きい平均寸法を有し、前記物品の使用中に前記接触相に移動するように構成される第２の複数の粒子と、
を含む物品。
【請求項７７】
前記基板の上の配置された前記液体は、平均厚さを有し、前記第２の複数の粒子の前記平均寸法は、前記液体の平均厚さよりも大きい、請求項７６に記載の物品。
【請求項７８】
前記液体が、シリコーン油、フッ素化炭化水素、フッ素化ペルフルオロポリエーテル、炭化水素液体、植物油、植物油誘導体、トリグリセリド、脂肪酸、エステル、及びＦＤＡに認可された液体食品添加物のうちの少なくとも１つを含む、請求項７６に記載の物品。
【請求項７９】
前記接触相が、降伏応力流体、非ニュートン流体、ビンガム塑性体、及びチキソトロピー流体のうちの少なくとも１つである、請求項７６に記載の物品。
【請求項８０】
前記第１の複数の粒子が疎水性である、請求項７６に記載の物品。
【請求項８１】
前記第２の複数の粒子が親水性である、請求項８０に記載の物品。
【請求項８２】
前記第２の複数の粒子が、水素結合及び物理的架橋の少なくとも１つの形成による架橋を可能にする材料を含む、請求項７６に記載の物品。
【請求項８３】
前記第２の複数の粒子が、前記第２の複数の粒子と前記接触相の表面との間の架橋を可能にする、請求項８２に記載の物品。
【請求項８４】
前記第２の複数の粒子が、多糖、熱可塑性エラストマー、架橋ポリアクリル酸、ワックス状固体、及びこれらの組み合わせのうちの少なくとも１つを含む、請求項７６に記載の物品。
【請求項８５】
前記第２の複数の粒子が、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項８４に記載の物品。
【請求項８６】
第３の複数の粒子であって、前記第１の複数の粒子及び前記第２の複数の粒子とは異なる第３の複数の粒子
をさらに含む、請求項７６に記載の物品。
【請求項８７】
前記第３の複数の粒子が、約２０ｎｍと約１０μｍとの間の平均寸法を有する、請求項８６に記載の物品。
【請求項８８】
前記第３の複数の粒子が、約３μｍ未満の平均寸法を有する、請求項８７に記載の物品。
【請求項８９】
前記第３の複数の粒子が、前記液体のレオロジーを変更するように構成される、請求項８６に記載の物品。
【請求項９０】
前記第３の複数の粒子が、前記液体の粘度を増大させるように構成される、請求項８６に記載の物品。
【請求項９１】
前記第２の複数の粒子が、前記接触相の降伏応力を増大させるように構成される、請求項８６に記載の物品。
【請求項９２】
前記第２の複数の粒子が、前記接触相の粘度を増大させるように構成される、請求項８６に記載の物品。
【請求項９３】
基材と、
前記基材の上に配置された液体と、
前記液体の中に配置された複数の疎水性粒子と、
前記液体の中に配置された複数の親水性粒子であって、接触相に移動するように構成される前記複数の親水性粒子と
を含む物品。
【請求項９４】
前記液体が接触相に非混和性である、請求項９３に記載の物品。
【請求項９５】
前記複数の親水性粒子が、前記接触相に移動するように構成される、請求項９４に記載の物品。
【請求項９６】
前記複数の親水性粒子が、前記接触相の降伏応力を増大させるように構成される、請求項９５に記載の物品。
【請求項９７】
前記複数の親水性粒子が、前記接触相の粘度を増大させるように構成される、請求項９５に記載の物品。
【請求項９８】
前記基材の上に配置された液体が平均厚さを有し、前記複数の疎水性粒子の平均寸法が前記液体の平均厚さの約１．５倍よりも小さい、請求項９３に記載の物品。
【請求項９９】
前記基材の上に配置された液体が平均厚さを有し、前記複数の親水性粒子の平均寸法が前記液体のおよその平均厚さよりも大きい、請求項９３に記載の物品。
【請求項１００】
前記液体の平均厚さが約５μｍと約８０μｍとの間である、請求項９９に記載の物品。
【請求項１０１】
前記液体の平均厚さが約１０μｍと約５０μｍとの間である、請求項９９に記載の物品。
【請求項１０２】
前記液体が、前記物品の使用中に液体のままである、請求項９３に記載の物品。
【請求項１０３】
前記液体が、シリコーン油、フッ素化炭化水素、フッ素化ペルフルオロポリエーテル、炭化水素液体、植物油、植物油誘導体、トリグリセリド、脂肪酸、エステル、及びＦＤＡに認可された液体食品添加物のうちの少なくとも１つを含む、請求項９３に記載の物品。
【請求項１０４】
前記複数の疎水性粒子が、約０．５μｍと約４０μｍとの間の平均寸法を有する、請求項９３に記載の物品。
【請求項１０５】
前記複数の疎水性粒子が、約５μｍと約３０μｍとの間の平均寸法を有する、請求項１０４に記載の物品。
【請求項１０６】
前記複数の親水性粒子が、約２０μｍよりも大きい平均寸法を有する、請求項９３に記載の物品。
【請求項１０７】
前記複数の親水性粒子が、約３０μｍと約８０μｍとの間の平均寸法を有する、請求項１０６に記載の物品。
【請求項１０８】
前記複数の親水性粒子が、多糖、熱可塑性エラストマー、架橋ポリアクリル酸、ワックス状固体、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、請求項９３に記載の物品。
【請求項１０９】
前記液体の中に配置され、且つ前記液体のレオロジーを変更するように構成されたレオロジー変更剤
をさらに含む、請求項９３に記載の物品。
【請求項１１０】
前記レオロジー変更剤が、シリカ、親水性シリカ、ヒュームドシリカ、粘土鉱物、ベントナイト、パリゴルスカイト、カオリナイト、バーミキュライト、アパタイト、黒鉛、二硫化モリブデン、マイカ、窒化ホウ素、ギ酸ナトリウム、オレイン酸ナトリウム、パルミチン酸ナトリウム、硫酸ナトリウム、アルギン酸ナトリウム、寒天、ゼラチン、ペクチン、グルテン、デンプンアルギナート、カラギナン、乳清、及びこれらの組み合わせのうちの少なくとも１つを含む、請求項１０９に記載の物品。
【請求項１１１】
前記複数の疎水性粒子及び前記複数の親水性粒子のうちの少なくとも１つが界面修飾剤である、請求項９３に記載の物品。
【請求項１１２】
前記界面修飾剤の前記液体との分配係数が約１未満である、請求項１１１に記載の物品。
【請求項１１３】
前記分配係数が約０．１未満である、請求項１１２に記載の物品。
【請求項１１４】
基材と、
前記基材の上に配置された液体と、
前記液体の中に配置された複数の疎水性粒子と、
前記液体の中に配置された複数の親水性粒子と、を含み、
前記複数の疎水性粒子及び前記複数の親水性粒子のうちの少なくとも１つが、前記液体との分配係数が約１未満である界面修飾剤である、物品。
【請求項１１５】
基材と、
前記基材の上に配置された液体であって、接触相に非混和性である液体と、
前記液体の中に配置された約１ｗｔ％〜約２０ｗｔ％の第１の複数の粒子と、
前記液体の中に配置された約１ｗｔ％〜約５０ｗｔ％の第２の複数の粒子であって、キサンタンガム、グァーガム、セルロースガム、キチン、スチレンエチレンブチレンスチレン、ポリアクリル酸ナトリウム、ポリカルボフィル、カルボマー、ポリアクリル酸カルシウム、及びこれらの組み合わせのうちの少なくとも１つを含む、前記第２の複数の粒子と、
を含む物品。